(57)【要約】【課題】従来の布団汚れ防止具は装置的でコスト高であるので、安価で、かつ誰でも気軽に使えて、通気性も高い布団汚れ防止シートを提供する。【解決手段】下着類などの洗濯時に用いる目の細かいネットもしくは水気に強い合成繊維生地で、敷き布団や掛け布団より一回り大きいサイズの生地（以下、シート地と称す）の周囲に、縁布２を縫い付けるとともに、その長手方向一方寄りの約４分の１くらいの部位に、左右長手辺に掛け渡す基線テープ３を縫い付けた敷きシート体４を形成し、その敷きシート体４の基線テープ３を挟んだ左右の縁布２，２の一方にメスホック６を取り付け、他方側には、前記メスホック６に係合するオスホック７，７による一組の係止具５を長手方向の二辺に取り付けて成る布団汚れ防止シート１とする。【選択図】図１
0003149051.tif 000002
【実用新案登録請求の範囲】
【請求項１】
布団を干す際に使用する汚れ防止シートであって、布団より一回り大きいシート地の周囲に縁布を取り付けた敷きシート体を形成し、該敷きシート体の長手方向の一方寄りの両縁布部に、一定間隔部を挟んで、左右にオスメス二つで一組とする係止具を取り付けて成る構成を特徴とする干し布団汚れ防止シート。
【請求項２】
布団を干す際に使用する汚れ防止シートであって、布団より一回り大きいシート地の周囲に縁布を取り付けた敷きシート体を形成し、該敷きシート体の長手方向の一方寄りの両縁布部に、一定間隔を挟んで、左右にオスメス二つで一組とする係止具を取り付けるとともに、前記一定間隔部に、オスメスいずれかの係止具を取り付けた敷きシート体を形成し、該敷きシート体と同じ大きさの縁布付き覆いシート体の一方寄り両縁布部に、前記敷きシート体の一定間隔部に設けた係止具と係合する係止具を取り付けて成る覆いシート体と、前記敷きシート体の二枚を一組とする構成を特徴とする干し布団汚れ防止シート。
【請求項３】
前記する覆いシート体が、黒色素材で形成される請求項２に記載する干し布団汚れ防止シート。
【考案の詳細な説明】
【技術分野】
【０００１】  本考案は、ベランダや手摺りに布団を掛けて干す際に、布団を汚すことなく清潔に干せる布団汚れ防止シートに関する。
【背景技術】
【０００２】  従来より、布団をベランダの手擦りや窓、柵などに掛けて干す際は、あらかじめ雑巾やブラシなど用いて汚れを拭き取ってきれいにした上で布団を干すか、もしくは古いシーツなどの別布を下敷きのように掛けてから、その上に布団を掛けて干している。【０００３】  また、布団干しの時に布団がベランダや柵に触れて汚れることを防ぐ、巻き戻し可能なロールシート式の汚れ防止器具又はこれを備えたベランダの技術が提供されている。（例えば、特許文献１参照）
【特許文献１】特開平８−２０９８８５
【考案が解決しようとする課題】
【０００４】  前記するように布団をベランダの手摺や柵に掛けて布団を干す場合は、風雨にさらされて居る場所であるためゴミや埃の他に、野鳥の糞などで汚れていこともあるので、雑巾やボロ布、ブラシなど用いてきれいにしてから布団を掛けて干す必要があるが、ベランダや柵の内外の両側をきれいにするのは面倒であり、特に高齢者においては大変であった。
【０００５】  次に、特開平８−２０９８８５公報に示す技術は、ロールから二枚のシートを引き出せる巻き戻し可能なロールシート状のバネ内蔵の器具をベランダや柵の上部に取り付け、布団を掛ける時は二枚のシートを引き出し内側と外側に垂らしてから干すことで汚れるのを防ぐ器具である。
【０００６】  しかしこの器具はバネ内蔵はもとより、二枚のシートを巻き込む複雑な器具のためコスト高であることはもとより、屋外に位置して使用するので風雨や湿気等により内蔵したバネは錆び付きやすく、また引き出しスリットから埃や水気が入ることもあるのでシート自体が汚れるなどの欠点がある。
【０００７】  さらに、この器具をベランダに取り付けるには専用の取り付け具も必要であるため、個人では無理で業者に依頼するには費用が掛るなど様々な点でだれもが気安く安価に利用できるものではないなどの不便や欠点がある汚れ防止器具の技術である。
【課題を解決するための手段】
【０００８】  本考案は、前記する不便や欠点を解消するために、請求項１においては、布団を干す際に使用する汚れ防止シートであって、布団より一回り大きいシート地の周囲に縁布を取り付けた敷きシート体を形成し、該敷きシート体の長手方向の一方寄りの両縁布部に、一定間隔部を挟んで、左右にオスメス二つで一組とする係止具を取り付けることで、布団を干す際の下敷きとしてベランダや柵の手摺に取り付けられる布団汚れ防止シートとする。
【０００９】  請求項２においては、布団を干す際に使用する汚れ防止シートであって、布団より一回り大きいシート地の周囲に縁布を取り付けた敷きシート体を形成し、該敷きシート体の長手方向の一方寄りの両縁布部に、一定間隔を挟んで、左右にオスメス二つで一組とする係止具を取り付けるとともに、前記一定間隔部に、オスメスいずれかの係止具を取り付けた敷きシート体を形成し、該敷きシート体と同じ大きさの縁布付き覆いシート体の一方寄り両縁布部に、前記敷きシート体の一定間隔部に設けた係止具と係合する係止具を取り付けて成る覆いシート体と、前記敷きシート体の二枚を一組とすることで、干し布団の下面と上面を覆える布団汚れ防止シート。
【００１０】  請求項３においては、前記する請求項２の覆いシート体の色を、黒色素材で形成することにより太陽の日光を効率よく吸収できる布団汚れ防止シートとする
【考案の効果】
【００１１】  本考案による布団汚れ防止シートは、敷き布団や掛け布団より一回り大きい矩形状のネット地又は布地によるシートの長手方向一方寄り両側に、一定間隔部を挟んだ左右にオスメス一組とする係止具を取り付けて成る汚れ防止シートを、ベランダや柵などの手摺に掛けた上で布団を掛けて干せる下敷きシートであり、第１実施形態においては敷きシート体は細かいネット地であるので、ベランダが汚れていても直接汚れが布団に付かないし、ネット地による通風性も高いうえ、布団との摩擦効果も得られる。さらに汚れた場合は洗濯しても乾きがきわめて早い。
【００１２】  また第２実施形態によるタイプは、二枚のシートで布団上下をサンドする方式として、前記第１実施形態の敷きシートに加えて、布団の上面を覆いシート体で覆うので、横や上から飛んで来るゴミや野鳥の糞なども防ぐことができるとともに、花粉の付着も最少減にすることが可能である。さらに、覆いシート体は黒色素材であるので太陽の光も効率よく吸収して、日差しの弱い冬場でも布団の乾燥促進を効果を得られるうえ、いずれのタイプもきわめてシンプルで安価に提供できる干し布団汚れ防止シートを提供する。
【考案を実施するための最良の形態】
【００１３】  本考案による布団汚れ防止シートの第１実施形態を、図１に示す展開斜視図と図２に示す布団汚れ防止シートを手摺に掛けて使用した参考図、図３に示す布団汚れ防止シートを手摺に掛け止めた状態を示す要部拡大図で説明する。【００１４】  第１実施形態による布団汚れ防止シート１は、下着類などの洗濯時に用いる目の細かいネット地か水気に強い合成繊維生地で、敷き布団や掛け布団より一回り大きいサイズの生地（以下、いずれもシート地と称す）のシート周囲に縁布２，２を縫い付けるとともに、その長手方向一方寄り約４分の１くらいの部位に、左右長手辺の縁布２，２に掛け渡す基線テープ３を縫い付けて成る敷きシート体４を形成する。【００１５】  次に、前記する敷きシート体４の基線テープ３を挟んだ左右の縁布２，２には、二つで一組とする係止具５となる、一方にメスホック６，６を２個取り付け、他方側には、前記メスホック６に係合するオスホック７，７を長手方向の二辺に取り付けて成る布団汚れ防止シート１を構成する。【００１６】  第１実施形態による布団汚れ防止シート１は、布団Ａより大きいシーツ状で、かつ左右いずれか一方寄りに、ベランダの手摺Ｂに掛ける際の目安となる基線テープ３の左右縁布２に、オスメス一組とする係止具５を取り付けているので、まず布団Ａを干す際は、図２に示すように、布団汚れ防止シート１の基線テープ３部を基点として、敷きシート体４の長い方を手摺Ｂの外側になるように折り掛けてから、格子Ｃを介して縁部２，２の係止具５を留めるとベランダの手摺Ｂに固定され、その上で布団Ａを掛けてから布団クリップＤで挟み留めると，敷きシート体４が下敷きとなりベランダの汚れや埃が付かないで清潔に干すことができる布団汚れ防止シート１となる。【００１７】  第２実施形態の布団汚れ防止シートを、図３に示す組み合わせ展開斜視図で説明する。第２実施形態による布団汚れ防止シート１は、布団の下に位置する敷きシート体４ａに加えて、その上部に、布団の上面に掛ける覆いシート体８を組み合わせて、上下二枚のシートで布団を挟んで汚れを防止するタイプである。【００１８】  まず、手摺に掛けて布団の下に位置する敷きシート体４ａは、前記第１実施形態と同様に、周囲に縁布２を設け、かつ、一方寄りに基線テープ３を取り付けた敷きシート体４ａとするが、さらに基線テープ３両端を一定間隔部とする左右に、係止具５となるメスホック６及びオスホック７を取り付けるとともに、前記基線テープ３の両端部に、覆いシート８と連結するメスホック６ａ，６ａを取り付けた敷きシート体４ａとする。【００１９】  さらに、その敷きシート体４ａに組み合わされる覆いシート体８は、前記敷きシート体４ａと同様の大きさで成る縁布２付き黒色素材とし、かつ長手方向寄りに前記敷きシート４ａの基線テープ３と同位置に基線テープ３を設けるとともに、その基線テープ３の両端に、前記敷きシート４ａのメスホック６ａに係合するオスホック７ａ，７ａを取り付けた覆いシート体８を形成し、その覆いシート体８と前記敷きシート体４ａの二枚を一組とする布団汚れ防止シート１を構成する。【００２０】  第２実施形態による布団汚れ防止シート１は、基本的には第１実施形態の敷きシート４と同じ��きさの覆いシート体８の二枚で布団の上下を挟むようにするので、ベランダの汚れを防ぐことはもとより、横や上方から飛んでくるゴミや野鳥の糞なども防ぐうえ、上面に掛ける覆いシート体８は黒色素材であるため、太陽の日光をより効率的に吸収して水分の蒸発の促進効果による乾燥と効果を得る。【００２１】  本考案による敷きシート体４，４ａや覆いシート体８に取り付ける係止具５は、メスホック６，６ａホックとして説明しているが、これ以外にオスメスによる面ファスナーの他に、ボタンやボタン穴など二つで一組とする係止部材いずれでも構わないものとする。さらに第１及び第２実施形態における敷きシート４，４ａの色は問わないが、第２実施形態における覆いシート体８は黒が特に好ましいが、必ずしも他の色でも差支えない。加えて、基線テープ３を備えた方が手摺に掛ける際の目安になるが、必ずしもなくても構わないものとする。
【図面の簡単な説明】
【００２２】
【図１】本考案の布団汚れ防止シートの第１実施形態を示す展開斜視図である。
【図２】第１実施形態の布団汚れ防止シートの使用状態参考図である。
【図３】第１実施形態の布団汚れ防止シートを手摺に掛け止めた状態を示す要部拡大図である。
【図４】第２実施形態の布団汚れ防止シートを示す組み合わせ展開斜視図である。
【符号の説明】
【００２３】１  布団汚れ防止シート
２  縁布
３  基線テープ
４  敷きシート体
４ａ  敷きシート体
５  係止具
６  メスホック
６ａ  メスホック
７  オスホック
７ａ  オスホック
８  覆いシート体
Ａ  布団
Ｂ  手摺
Ｃ  格子
Ｄ  布団クリップ
【図１】
0003149051.tif 000003
【図２】
0003149051.tif 000004
【図３】
0003149051.tif 000005
【図４】
0003149051.tif 000006